(57)【特許請求の範囲】
【請求項１】
太陽電池パネルと、前記太陽電池パネルの端縁部が挿入された状態で固定されている溝を有するフレームとを備える太陽電池モジュールを２つ重ねて梱包可能にする、太陽電池モジュールの梱包構造であって、
前記フレームは前記太陽電池パネルにおける所定方向の２つの端縁部のうち一方側端縁部のみに固定されており、２つの前記太陽電池モジュールの一方を天地逆さまにしてその上に他方を重ねた状態で前記２つの太陽電池モジュールにそれぞれ含まれる各太陽電池パネルの太陽光が直接入射される面とは反対側の面である裏面同士が対向し、前記裏面同士の間に空間が形成され、
互いに重ね合わされた前記２つの太陽電池モジュールが複数段に積まれており、
前記フレームは前記太陽電池パネルと反対側に突出する突出部を有し、前記突出部には貫通孔が形成されており、前記複数段に積まれた太陽電池モジュールのうち同じ側に位置する前記フレームの突出部の貫通孔に棒状部材が挿通されている、
太陽電池モジュールの梱包構造。
【請求項２】
請求項１に記載の太陽電池モジュールの梱包構造において、
前記裏面上に端子ボックスが突出して設けられており、前記裏面同士間の空間の上下方向の距離は、前記太陽電池パネルの裏面からの前記端子ボックスの突出高さよりも大きい、太陽電池モジュールの梱包構造。
【請求項３】
請求項１または２に記載の太陽電池モジュールの梱包構造において、
前記空間に配置されたスペーサ部材によって、上側に位置する太陽電池モジュールにおける太陽電池パネルの前記所定方向の他方側端縁部が支持されている、太陽電池モジュールの梱包構造。
【請求項４】
請求項１〜３のいずれか一項に記載の太陽電池モジュールの梱包構造において、
前記フレームの側面には引っ掛け部が突設されており、上側に位置する太陽電池モジュールにおける太陽電池パネルの前記所定方向の他方側端縁部が前記引っ掛け部に載置された状態で支持されている、太陽電池モジュールの梱包構造。
【請求項５】
請求項１〜３のいずれか一項に記載の太陽電池モジュールの梱包構造において、
前記フレームの底面には凹部が形成され、前記２つの太陽電池モジュールが複数段に積まれたときに前記フレームにおける前記溝の側の端部が前記凹部に嵌まり込む、太陽電池モジュールの梱包構造。
【請求項６】
請求項１〜５のいずれか一項に記載の太陽電池モジュールの梱包構造において、
前記フレームの長手方向における前記太陽電池モジュールの両側端部が梱包材によって覆われている、太陽電池モジュールの梱包構造。
【発明の詳細な説明】
【技術分野】
【０００１】
本開示は、太陽電池モジュールの梱包構造、および、太陽光発電装置に関する。
【背景技術】
【０００２】
従来、例えば長方形状等の矩形状をなす太陽電池の四辺端縁部に例えばアルミニウム合金等からなる金属製のフレームを接着剤などで予め固定した太陽電池モジュールが知られている。
【先行技術文献】
【特許文献】
【０００３】
【特許文献１】特開２００６−１００４３９号公報
【発明の概要】
【発明が解決しようとする課題】
【０００４】
ところで、太陽電池モジュールを構成する太陽電池パネルにおいて受光面とは反対側の裏面に、太陽電池パネルで発電された電力を集電して出力するための端子ボックスが太陽電池パネルの裏面から突出して設けられることがある。このような太陽電池モジュールを梱包する場合、端子ボックスに外力がかからないように工夫して梱包する必要がある。このような課題は、所謂フレームレス構造の太陽電池パネルだけでなく、太陽電池パネルの端縁部に、端子ボックスの突出高さよりも薄い金属や弾性体等からなる付属物が取り付けられている場合でも生じ得る。【０００５】
本開示の目的は、複数の太陽電池モジュールを梱包した場合に太陽電池パネルの裏面にある端子ボックスに外力がかからないように確実に梱包できる、太陽電池モジュールの梱包構造を提供することにある。また、本開示の別の目的は、太陽電池パネルの所定方向の一方側端縁部のみにフレームが固定されている太陽電池モジュールを屋根に複数設置して構成される太陽光発電装置を提供することにある。
【課題を解決するための手段】
【０００６】
本開示の一態様である太陽電池モジュールの梱包構造は、太陽電池パネルと、太陽電池パネルの端縁部が挿入された状態で固定されている溝を有するフレームとを備える太陽電池モジュールを２つ重ねて梱包可能にする、太陽電池モジュールの梱包構造であって、フレームは太陽電池パネルにおける所定方向の２つの端縁部のうち一方側端縁部のみに固定されており、２つの前記太陽電池モジュールの一方を天地逆さまにしてその上に他方を重ねた状態で２つの太陽電池モジュールにそれぞれ含まれる各太陽電池パネルの裏面同士の間に空間が形成されるものである。【０００７】
また、本開示の別態様である太陽光発電装置は、太陽電池パネルと、太陽電池パネルにおける所定方向の２つの端縁部のうち一方側端縁部のみに固定されているフレームとを備える太陽電池モジュールが屋根上に軒棟方向に並んで複数設置されて構成される太陽光発電装置であって、フレームは、太陽電池パネルの一方側端縁部が固定された溝と、この溝とは反対側に開口する別の溝とを有し、太陽光発電装置は屋根の棟側に設置される第１の太陽電池モジュールと、第１の太陽電池モジュールに対して軒側に並んで設置される第２の太陽電池モジュールとを含み、第１および第２の太陽電池モジュールはフレームを軒側に向けてそれぞれ設置されおり、第２の太陽電池モジュールにおける太陽電池パネルの所定方向の他方側端縁部が第１の太陽電池モジュールのフレームにおける別の溝に挿入された状態で設置されているものである。
【発明の効果】
【０００８】
本開示の一態様である太陽電池モジュールの梱包構造によれば、複数の太陽電池モジュールを梱包した場合に太陽電池パネルの裏面にある端子ボックスに外力がかからないように確実に梱包できる。【０００９】
また、本開示の別態様である太陽光発電装置によれば、太陽電池パネルの一方側端縁部のみにフレームが固定されている太陽電池モジュールを屋根に複数設置して太陽光発電装置を構成することができる。
【図面の簡単な説明】
【００１０】
【図１】実施形態の一例である太陽光発電装置を示す図である。
【図２】太陽光発電装置を構成する太陽電池モジュールの斜視図である。
【図３】図２に示した太陽電池モジュールの側面図である。
【図４】太陽電池モジュールの梱包構造の一例を示す側面図である。
【図５】太陽電池モジュールの梱包構造の別の例を示す側面図である。
【図６】（ａ），（ｂ）は、２つの太陽電池モジュールの組を複数段に積み重ねた梱包構造の一例を示す側面図である。
【図７】２つの太陽電池モジュールの組を複数段に積み重ねた梱包構造の別の例を示す側面図である。
【図８】太陽電池モジュールの梱包構造において太陽電池モジュールの両端部に梱包材を設けた例を示す上面図である。
【図９】太陽電池モジュールが屋根に設置された状態の一例を示す図である。
【図１０】太陽電池モジュールのパネル端部がパッキン部材を介してフレームに取り付けられている状態の一例を示す図である。
【図１１】太陽電池モジュールのパネル端部がパッキン部材を介してフレームに取り付けられている状態の別の例を示す図である。
【図１２】２つの太陽電池モジュールの各太陽電池パネルが面一に設置されている例を示す側面図である。
【図１３】フレーム上部がフレーム下部に着脱可能に締結されている例を示す図である。
【図１４】（ａ），（ｂ）は、フレームに設けられる外溝が着脱可能な上壁部によって形成される例を示す図である。
【図１５】太陽電池モジュールのフレームを固定する押さえ金具の変形例を示す図である。
【発明を実施するための形態】
【００１１】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
以下では、屋根の桁方向（屋根の軒棟方向に垂直な方向）に沿う方向を「横方向」、屋根の野地板に垂直な方向を「上下方向」という。図面には、屋根の軒棟方向を矢印α、桁方向・横方向を矢印βで、上下方向を矢印γ示す。
【００１３】
図１は、実施形態の一例である太陽光発電装置１０を示す図である。図１に示すように、太陽光発電装置１０は、屋根１の上に設置されている。屋根１は、例えばスレート瓦等からなる屋根材２が段葺き状に敷設されている。すなわち、軒棟方向αに並んだ２枚の屋根材２ａ，２ｂについて見れば、棟側の屋根材２ａが軒側の屋根材２ｂの軒棟方向の端部にオーバーラップして敷設されているため、屋根１の表面には屋根材２の厚みに相当する段差３が桁方向βに沿って形成されている。
【００１４】
屋根１には、桁方向βに沿った太陽電池モジュール１２の列が複数形成されるように太陽光発電装置１０が取り付けられている。太陽電池モジュール１２は、例えば、平面視で略矩形形状を呈する。本実施形態では、各太陽電池モジュール１２は、短辺が軒棟方向αに略平行であり、各列を構成する複数の太陽電池モジュール１２の短辺同士が略接触した状態で配置されている。桁方向βに延びる列を構成する太陽電池モジュール１２の数は、屋根１の軒側に位置する列で多くなり、また一部の隣り合う列で同数である。ただし、太陽光発電装置１０を構成する太陽電池モジュール１２の数、配列等は特に限定されない。
【００１５】
太陽光発電装置１０は、段葺き状の屋根１に合わせて太陽電池モジュール１２が段葺き状に配置された構造を有する。すなわち、軒棟方向αに隣接する２つの太陽電池モジュール１２ａ，１２ｂの間には、太陽電池モジュール１２ａの軒側端部が太陽電池モジュール１２ｂの棟側端部の上に重なることによる段差が形成されている。ここで、軒棟方向αに隣り合う任意の２枚の太陽電池モジュール１２において、棟側に配置される方が太陽電池モジュール１２ａ（第１の太陽電池モジュール）、軒側に配置される方が太陽電池モジュール１２ｂ（第２の太陽電池モジュール）である。
【００１６】
太陽光発電装置１０に含まれる太陽電池モジュール１２は、屋根材２の働き長さＬと同一又は略同一の軒棟方向長さＬを有する。これにより、太陽電池モジュール１２ａ，１２ｂ間の段差を段葺き状の屋根材２の段差３と一致させて設置することで、太陽光発電装置１０が屋根１に違和感なく一体化した外観を呈し、結果として意匠性が向上する。
【００１７】
なお、上記では太陽光発電装置１０が段葺き状の屋根１に設置される場合について説明したが、これに限定されるものではない。太陽光発電装置１０は、瓦と比較して薄いスレート材や金属板を敷設して略平坦な表面形状を有する屋根に設置されてもよいし、あるいは、屋根板上に敷設された防水シートの上に直に設置されてもよい。
【００１８】
図２は、太陽光発電装置１０を構成する太陽電池モジュール１２の斜視図である。図３は、図２に示した太陽電池モジュール１２の側面図である。図２及び図３において、屋根の野地板に垂直な上下方向γは、フレームの高さ方向に一致することが示されている。
【００１９】
図２および図３に示すように、太陽電池モジュール１２は、太陽電池パネル１４と、フレーム１６とを備える。太陽電池パネル１４は、複数の太陽電池素子がガラス等の保護部材で挟持されたパネルである。太陽電池パネル１４は、平面視で例えば長方形状等の矩形状に形成されている。
【００２０】
太陽電池パネル１４は、太陽電池モジュール１２として屋根１に設置されたときに受光面となる表面１５ａと、その反対面である裏面１５ｂとを有する。図３に示すように、太陽電池パネル１４の裏面１５ｂには、端子ボックス１７が取り付けられている。端子ボックス１７は、太陽電池パネル１４によって発電された電力を集電して出力する機能を有する。端子ボックス１７は、例えば樹脂製の筐体を含んで構成され、太陽電池パネル１４の裏面１５ｂから例えば直方体状に突出して設けられている。
【００２１】
太陽電池モジュール１２のフレーム１６は、例えば、アルミニウム合金等からなる金属製の長尺部材であり、太陽電池パネル１４の一方側の端縁部１４ｂに沿って固定されている。フレーム１６は、太陽電池パネル１４における軒棟方向（所定方向）αの２つの端縁部１４ａ，１４ｂのうち一方側端縁部１４ａのみに固定されている。すなわち、本実施形態では、太陽電池パネル１４が平面視で長方形状をなし、太陽電池パネル１４の長辺部分が桁方向βに沿うようにして太陽電池モジュール１２が屋根１に設置される。したがって、太陽電池モジュール１２では、太陽電池パネル１４における軒棟方向の２つの端縁部１４ａ，１４ｂのうち、一方側の長辺部分である端縁部１４ａだけに固定されている。なお、本実施形態では、太陽電池パネル１４の桁方向両側の端縁部（すなわち短辺部分）にフレームは取り付けられていない場合を例示する。
【００２２】
フレーム１６は、太陽電池モジュール１２が屋根１に設置されたときの状態で太陽電池パネル１４の軒側に位置する端縁部１４ａに固定されるのが好ましい。このようにすれば、太陽電池モジュール１２を設置する際に、下り傾斜姿勢で屋根１に設置される太陽電池パネル１４の下端縁である軒側端縁部１４ａにフレーム１６が固定されるため、後述するフレーム１６の内溝から太陽電池パネル１４が抜け出る危険性なく設置できる。ただし、これに限定されるものではなく、フレーム１６は、太陽電池モジュール１２が屋根１に設置された状態で太陽電池パネル１４の棟側端縁部１４ｂのみに固定されてもよい。
【００２３】
フレーム１６は、断面直方体状の外形を有する中空の本体部１８と、本体部１８の上部に一体に形成されている側面Ｌ字状の鉤部２０とを有する。本体部１８と鉤部２０によって溝２２が形成されている。以下において、この溝２２を、太陽電池モジュール１２の内側に向いているという意味で「内溝」という。内溝２２は、フレーム１６の長手方向と直交する方向の一方側に向かって開口している。この内溝２２に太陽電池パネル１４の軒側端縁部１４ａが挿入されて、例えばシリコーン系接着剤等で接着して固定されるのが好適である。
【００２４】
また、フレーム１６は、本体部１８の下端部に板状の取付部２４を有する。取付部２４は、本体部１８から太陽電池パネル１４側に突出する内側取付部２４ａと、本体部１８から反対側に突出する外側取付部２４ｂとを含む。本実施形態では、内側取付部２４ａが外側取付部２４ｂよりも長く形成されている例が示される。ただし、これらの取付部２４ａ，２４ｂの本体部１８からの突出長さは同じであってもよい。
【００２５】
さらに、フレーム１６は、太陽電池パネル１４とは反対側に位置する本体部１８の側面から一体にそれぞれ突出形成された下壁部２６ａおよび上壁部２６ｂを有する。そして、下壁部２６ａと上壁部２６ｂとの間に、上記内溝２２とは別の溝２８が形成されている。この別の溝２８は、太陽電池モジュール１２を構成する太陽電池パネル１４の棟側端縁部１４ｂが挿入される溝であり、内溝２２とは反対側に開口している。また、別の溝２８は、上記内溝２２に対して所定寸法だけ下側に形成されている。この所定寸法は、上述したように段葺き状の屋根１の段差３に対応している。以下においては、この別の溝２８を、太陽電池モジュール１２の外側に向いているという意味で「外溝」という。
【００２６】
図４は、太陽電池モジュールの梱包構造８０Ａを示す側面図である。図４では、２つの太陽電池モジュール１２ｕ，１２ｄを重ねて梱包可能にする構造が示されている。この梱包構造８０Ａにおいて、太陽電池モジュール１２ｕは上側に配置され、太陽電池モジュール１２ｄは下側に配置されている。
【００２７】
図４に示すように、太陽電池モジュール１２の梱包構造８０Ａでは、一方の太陽電池モジュール１２ｄを天地逆さまにしてその上に他方の太陽電池モジュール１２ｕを重ねた状態になっている。この状態では、一方の太陽電池モジュール１２ｄにおける太陽電池パネル１４の棟側端縁部１４ｂが他方の太陽電池モジュール１２ｕにおけるフレーム１６の内側取付部２４ａの上に位置し、他方の太陽電池モジュール１２ｕにおける太陽電池パネル１４の棟側端縁部１４ｂが一方の太陽電池モジュール１２ｄにおけるフレーム１６の内側取付部２４ａの下に位置している。そして、この状態で、２つの太陽電池モジュール１２ｕ，１２ｄの各太陽電池パネル１４の裏面１５ｂ間に空間３０が形成されている。この空間３０内に、各太陽電池モジュール１２のパネル裏面に配置された端子ボックス１７，１７が収容されている。空間３０の上下方向の距離は、端子ボックス１７の突出高さより少し大きく形成されていればよい。この場合、２つの端子ボックス１７，１７は、水平方向にずれて位置するため、互いに干渉することはない。
【００２８】
このように互いに重ね合わせた２つの太陽電池モジュール１２ｕ，１２ｄは、太陽電池パネル１４間に形成された空間３０内に各太陽電池モジュール１２の端子ボックス１７が収容された状態で梱包されるので、端子ボックス１７に外力がかかることがなく確実に梱包できる。その結果、端子ボックス１７の破損を防止できる。
【００２９】
また、図４に示すように、上記空間３０に配置されたスペーサ部材３２によって、太陽電池モジュール１２ｕ，１２ｄにおける太陽電池パネル１４の棟側端縁部（他方側端縁部）１４ｂが支持される構成としてもよい。スペーサ部材３２は、例えば、発泡スチロール、段ボール等の梱包材で形成することができる。この構成によれば、フレーム１６によって片持ち状態で支持されている太陽電池パネル１４をより安定した状態に支持することができる。なお、下側の太陽電池モジュール１２ｄにおける太陽電池パネル１４の棟側端縁部１４ｂは、スペーサ部材３２とフレーム１６の内側取付部２４ａとの間に挟まれることによって安定した状態で保持される。
【００３０】
図５は、太陽電池モジュールの梱包構造の別の例を示す側面図である。図５に示す梱包構造８０Ｂは、図４を参照して上述した梱包構造８０Ａとは次の点で相違する。すなわち、図５に示すように、太陽電池モジュールの梱包構造８０Ｂでは、スペーサ部材に代えて、フレーム１６の本体部１８の側面に引っ掛け部１９が突設されており、上側に位置する太陽電池モジュール１２ｕにおける太陽電池パネル１４の棟側端縁部１４ｂが引っ掛け部１９に載置された状態で支持されている。引っ掛け部１９は、フレーム１６の本体部１８の側面から内側取付部２４ａに対向して延伸形成されている。引っ掛け部１９と内側取付部２４ａとの間の隙間は、太陽電池パネル１４の棟側端縁部１４ｂの厚みより少し大きく形成されるのが好適である。このように引っ掛け部１９を設けることで、片持ち状態にある太陽電池パネル１４の棟側端縁部１４ｂを安定した状態に支持できる。また、引っ掛け部１９をフレーム１６に一体に設けたことで、スペーサ部材が不要となり、梱包材の使用量を低減できる。
【００３１】
図６（ａ），（ｂ）は、２つの太陽電池モジュールの組を複数段に積み重ねた梱包構造８０Ｃを示す側面図である。図６（ａ）に例示されるように、太陽電池モジュールの梱包構造８０Ｃは、図４に示したように互いに重ね合された２つの太陽電池モジュール１２ｕ，１２ｄの組が２段に積まれて構成される。この場合、梱包構造８０Ｃに含まれる各太陽電池モジュール１２ｕ，１２ｄのフレーム１６は、その側面から太陽電池パネル１４と反対側に突出する突出部として、外側取付部２４ｂと下壁部２６ａおよび上壁部２６ｂとを有する。外側取付部２４ｂと下壁部２６ａおよび上壁部２６ｂとには、それぞれ貫通孔２５が上下方向に整列した状態で形成されている。そして、２段に積まれた太陽電池モジュール１２ｕ，１２ｄのうち同じ側に位置するフレーム１６の前記複数段に積まれた太陽電池モジュールのうち同じ側に位置するフレーム１６の外側取付部２４ｂと下壁部２６ａおよび上壁部２６ｂの各貫通孔２５に各貫通孔２５に、固定用通しロッド（棒状部材）２７が上下方向に貫通して挿通されている。固定用通しロッド２７は、例えば金属棒によって形成され、その上端部は例えば釘の頭部のように拡径して最上部の貫通孔２５の周縁に係合して抜け落ちないようになっている。
【００３２】
このように２つの太陽電池モジュール１２ｕ，１２ｄを重み合わせた組を複数段に積み重ねて梱包構造８０Ｃを構成すれば、各組をそれぞれ梱包する場合に比べて梱包材を低減できると共に梱包作業が容易になる利点がある。また、固定用通しロッド２７を上下に貫通して挿通することで、上下に積み重ねられた各電池モジュール１２同士が水平方向にずれるのを確実に防止できる。
【００３３】
図７は、２つの太陽電池モジュール１２ｕ，１２ｄの組を複数段に積み重ねた梱包構造の別の例を示す側面図である。図７に示すように、この梱包構造８０Ｄでは、各太陽電池モジュール１２ｕ，１２ｄのフレーム１６の底面（すなわち取付部２４の下面）に凹部２９が形成されている。これにより、２つの太陽電池モジュール１２ｕ，１２ｄが複数段に積まれたときにフレーム１６における内溝２２の側の端部である鉤部２０の上端部が上記凹部２９に嵌まり込むように構成されている。このように構成した場合にも、複数段に積まれた各太陽電池モジュール１２ｕ，１２ｄの組が水平方向にずれるのを防止できる。
【００３４】
図８は、太陽電池モジュールの梱包構造において太陽電池モジュールの両端部に梱包材を設けた例を示す上面図である。図８に示すように、少なくとも２つの太陽電池モジュール１２ｕ，１２ｄを重ね合わせて構成される梱包構造８０Ａにおいて、太陽電池モジュール１２ｕ，１２ｄの桁方向βの両端部は、例えば段ボール等の梱包材３４によってそれぞれ覆われている。このようにすれば、フレームが取り付けられていない太陽電池パネル１４の短辺端部を保護するのに有効である。なお、図５〜図７に示した梱包構造８０Ｂ，８０Ｃ，８０Ｄにおいても、同様に、太陽電池モジュール１２ｕ，１２ｄの桁方向βの両端部に例えば段ボール等の梱包材でそれぞれ覆うようにしてもよい。
【００３５】
上述したように本実施形態の太陽電池モジュールの梱包構造８０Ａ−８０Ｄによれば、複数の太陽電池モジュール１２を纏めて梱包した場合に、太陽電池パネル１４の裏面にある端子ボックス１７に外力がかからないように確実に梱包できる。また、このように複数の太陽電池モジュール１２を纏めて梱包することで、梱包材の使用量を低減できると共に梱包作業を容易化でき、また、効率的に運搬できる。
【００３６】
次に、図９〜１４を参照して、太陽電池パネルの一方側端縁部だけにフレームが固定された太陽電池モジュール１２を屋根１に設置して太陽光発電装置１０を構成する場合について説明する。
【００３７】
図９は、太陽電池モジュール１２が屋根１に設置された状態の一例を示す図である。図１を参照して上述したように、太陽光発電装置１０は、太陽電池パネル１４における軒棟方向の２つの端縁部のうち軒側端縁部のみにフレーム１６が固定されている太陽電池モジュール１２を軒棟方向に並んで複数設置されて構成される。
【００３８】
太陽電池モジュール１２は、屋根１上において棟側から順に設置される。ここで、屋根１は、図９に示すように、例えばスレート材等の屋根材２と、その下にある防水シート４と、その下にある野地板５によって構成されている。
【００３９】
図９に示すように、太陽電池モジュール１２のフレーム１６は、外側取付部２４ｂに例えば釘や木ねじ等の固定部材４０が野地板５まで貫通して打ち込まれると共に、内側取付部２４ａが押さえ金具４２で押さえられることによって、屋根１に固定される。押さえ金具４２は、例えば金属板を側面クランク形状に折り曲げ加工して形成されており、例えば釘等の固定部材４０を野地板５まで貫通して打ち込むことによって屋根１に固定される。ここで、フレーム１６の外側取付部２４ｂに貫通して設けられる固定部材４０、および、フレーム１６の内側取付部２４ａを押さえる押さえ金具４２は、それぞれ、フレーム１６の長手方向（または延伸方向）に間隔を空けて複数配置されるのが好ましい。
【００４０】
フレーム１６の外側取付部２４ｂには、固定部材４０を通す位置を示すマークか、固定部材４０より小径の先穴を予め形成しておいてもよい。このようにすれば、固定部材４０を通す位置が一定になり、フレーム１６を介して太陽電池モジュール１２の固定作業が迅速かつ安定して行うことができる。また、上記ではフレーム１６の内側取付部２４ａを押さえ金具４２で固定する例を説明したが、内側取付部２４ａについても固定部材４０を打ち込んで固定してもよい。また、外側取付部２４ｂが押さえ金具４２によって固定されてもよい。
【００４１】
なお、このようにして屋根１に固定された太陽電池モジュール１２における太陽電池パネル１４の棟側端縁部１４ｂは、フレーム１６から下壁部２６ａおよび上壁部２６ｂを除いた形状のフレームを用いて固定できる。より詳しくは、このようなフレームの内溝２２に太陽電池パネル１４の棟側端縁部１４ｂを挿入し、この状態で固定部材４０や押さえ金具４２等を用いてフレームの取付部２４ａ，２４ｂを屋根１に固定する。このとき、太陽電池パネル１４の棟側端縁部１４ｂの外表面または内溝２２内に接着剤を塗布しておき、太陽電池パネル１４の棟側端縁部１４ｂが内溝２２に固定されてもよい。
【００４２】
フレーム１６を屋根１に固定する手順は、次の通りである。まず、屋根１に押さえ金具４２を固定部材４０によって固定する。その後、太陽電池モジュール１２ａのフレーム１６の内側取付部２４ａを軒側から挿入する。そして、フレーム１６の外側取付部２４ｂに固定部材４０を挿し通して固定する。このような手順によれば、太陽電池モジュール１２ａの太陽電池パネル１４の下方位置に、押さえ金具４２を設置することができる。また、フレーム１６の下壁部２６ａおよび上壁部２６ｂに、固定部材４０に対応して切欠き部を予め形成しておけば、外側取付部２４ｂに対して固定部材４０を垂直に挿し通すことができる。
【００４３】
上記のようにして屋根１の最も棟側に位置する太陽電池モジュール１２ａが設置されると、続いて、軒側に隣接して別の太陽電池モジュール１２ｂを設置する。この別の太陽電池モジュール１２ｂは、まず、太陽電池パネル１４の棟側端縁部１４ｂが、先に設置された太陽電池モジュール１２ａのフレーム１６の外溝２８内に挿入される。このとき、太陽電池パネル１４の棟側端縁部１４ｂの外表面または外溝２８内に接着剤を塗布しておき、太陽電池パネル１４の棟側端縁部１４ｂが外溝２８に固定されるのが好適である。
【００４４】
そして、太陽電池パネル１４の棟側端縁部１４ｂが外溝２８に挿入された状態で別の太陽電池モジュール１２ｂのフレーム１６の位置が決められ、上記と同様にして釘等の固定部材４０や押さえ金具４２を用いてフレーム１６が屋根１に固定される。
【００４５】
このようにして太陽電池モジュール１２ａ，１２ｂを軒側へと順次に設置することで、太陽電池パネル１４の軒側端縁部１４ａだけにフレーム１６が固定されている太陽電池モジュール１２によって構成される太陽光発電装置１０を屋根１に設置することができる。
【００４６】
図１０は、太陽電池モジュール１２のパネル端部１４ｂがパッキン部材４４ａを介してフレーム１６に取り付けられている状態の一例を示す図である。この太陽光発電装置１０Ａにおいて、パッキン部材４４ａは、例えばゴム等の柔軟な弾性材料によって形成されるのが好適である。パッキン部材４４ａは、太陽電池パネル１４の棟側端縁部１４ｂを覆って設けられる。このようなパッキン部材４４ａを設けることで、太陽電池パネル１４の棟側端縁部１４ｂが外溝２８内でばたつくのを抑制できる。また、パッキン部材４４ａの上面を棟側に向かって下り傾斜したテーパー面に形成すれば、外溝２８内への挿入時にパッキン部材４４ａの上面がより確実に上壁部２６ｂに接触した状態にできるので、上記のばたつき抑制効果をより確実なものできる。
【００４７】
図１１は、太陽電池モジュール１２ｂのパネル端部１４ｂがパッキン部材４４ｂを介してフレーム１６に取り付けられている状態の別の例を示す図である。この太陽光発電装置１０Ｂでは、フレーム１６の下壁部２６ａおよび上壁部２６ｂの突出長さが図９と比べてより長く形成されており、太陽電池パネル１４の棟側端縁部１４ｂを覆って設けられる例えば断面Ｃ字状のパッキン部材４４ｂが外溝２８に挿入されている。この場合、パッキン部材４４ｂの上下部分が下壁部２６ａおよび上壁部２６ｂと摺接しつつ太陽電池パネル１４を軒棟方向αに沿って移動させることができる。これにより、太陽電池パネル１４のばたつき抑制とともに、軒側に設置される太陽電池モジュール１２ｂの設置位置を調整することができる。
【００４８】
図１２は、２つの太陽電池モジュールの各太陽電池パネルが面一に設置されている例を示す側面図である。この太陽光発電装置１０Ｃでは、フレーム１６における内溝２２と外溝２８とが同じ高さ位置に設けられている。すなわち、外溝２８を区画形成する下壁部２６ａおよび上壁部２６ｂが、図９ないし図１１に示すフレーム１６よりも上側に形成されている。これにより、軒棟方向αに隣接する２つの太陽電池モジュール１２の太陽電池パネル１４が面一の状態になる。その結果、段葺き状の屋根以外の比較的平坦な屋根（例えば金属板で葺かれた屋根）に設置した場合に外観が屋根表面形状に一致したものになり、意匠性が向上する。
【００４９】
図１３は、フレーム上部がフレーム下部に着脱可能に締結されている例を示す図である。この太陽光発電装置１０Ｄでは、フレーム１６は、内溝２２を含むフレーム上部１６ａと、外溝２８を含むフレーム下部１６ｂとが、例えばボルトナット、リベット等の締結部材４６によって分離可能に連結固定されている。このようにフレーム１６を構成すれば、例えば内溝２２に固定されている太陽電池パネル１４が破損した場合等に、締結部材３６による締結を解除し、新たな太陽電池パネル１４が固定されている別のフレーム上部１６ａに取り換えることができる。したがって、太陽電池パネル１４の交換が容易に行える利点がある。
【００５０】
図１４（ａ），（ｂ）は、フレーム１６に設けられる外溝２８が着脱可能な上壁部２６ｂによって形成される例を示す図である。この太陽光発電装置１０Ｅでは、図１４（ａ）に示すように、フレーム１６には下壁部２６ａだけが一体に突出形成されており、この下壁部２６ａに対して上壁部２６ｂがボルト５０およびナット５６とスペーサ５２とを用いて固定されるようになっている。このようにして上壁部２６ｂが固定されることで、フレーム１６に外溝２８が区画形成される。
【００５１】
軒側に設置される太陽電池モジュール１２ｂにおける太陽電池パネル１４の棟側端縁部１４ｂは、例えばゴム、スポンジ等の弾性材料からなるパッキン部材４８をそれぞれ介して下壁部２６ａおよび上壁部２６ｂによって挟持固定される。このように外溝２８を形成する上壁部２６ｂを着脱可能に構成すれば、例えば、太陽光発電装置１０Ｅが設置された後に太陽電池モジュール１２ｂの太陽電池パネル１４が破損した場合等に交換することができる。
【００５２】
上述した各太陽光発電装置１０Ａ−１０Ｅによれば、図９を参照して説明した太陽光発電装置１０と同様に、太陽電池パネル１４における軒棟方向の２つの端縁部のうち一方側の軒側端縁部１４ａだけにフレーム１６が固定されている太陽電池モジュール１２によって構成される太陽光発電装置１０を屋根１に設置することができる。
【００５３】
なお、本開示に係る太陽電池発電装置は、上述した実施形態および変形例に限定されるものではなく、種々の変更や改良が可能である。
【００５４】
例えば、上記においては太陽電池モジュール１２のフレーム１６を固定するための押さえ金具４２がクランク状の側面形状を有するように金属板を折り曲げて形成されており、フレーム１６の内側取付部２４ａを上下方向γに押さえて固定する場合について説明した。しかし、図１５に示すように、押さえ金具４２ａは、内側取付部２４ａに当接する押さえ部分が斜め傾斜した角度に形成され、これに対応して内側取付部２４ａの上面も棟側に向かって下り傾斜したテーパー面に形成されてもよい。この構成によれば、押さえ金具４２ａの押さえ部分に加工誤差がある場合にも、内側取付部２４ａの上面にしっかりと当接して押圧固定することができる利点がある。
【００５５】
また、上記においては、太陽電池パネル１４の端縁部１４ａがフレーム１６の内溝２２に接着剤で直接固定される例について説明したが、これに限定されるものではない。太陽電池パネル１４の端縁部１４ａに端子ボックス１７の突出高さよりも薄い金属や弾性体からなる付属物が取り付けられており、この付属物を介してフレーム１６の内溝２２に端縁部１４ａが固定されてもよい。
【符号の説明】
【００５６】
１  屋根、２，２ａ，２ｂ  屋根材、３  段差，４  防水シート、５  野地板、１０，１０Ａ，１０Ｂ，１０Ｃ，１０Ｄ，１０Ｅ  太陽光発電装置、１２，１２ａ，１２ｂ，１２ｄ，１２ｕ、太陽電池モジュール、１４  太陽電池パネル、１４ａ  軒側端縁部（一方側端縁部）、１４ｂ  棟側端縁部またはパネル端部（他方側端縁部）、１５ａ  （太陽電池パネルの）表面、１５ｂ  （太陽電池パネルの）裏面、１６  フレーム、１６ａ  （フレームの）上部、１６ｂ  （フレームの）下部、１７  端子ボックス、１８  本体部、１９  引っ掛け部、２０  鉤部、２２  内溝（溝）、２４  取付部、２４ａ  内側取付部、２４ｂ  外側取付部、２５  貫通孔、２６ａ  下壁部、２６ｂ  上壁部、２７固定用通しロッド（棒状部材）、２８  外溝（別の溝）、２９  凹部、３０  空間、３２  スペーサ部材、３６  締結部材、４０  固定部材、４２，４２ａ  押さえ金具、４４ａ，４４ｂ，４８  パッキン部材、４６  締結部材、５０  ボルト、５２  スペーサ、５６  ナット、８０Ａ，８０Ｂ，８０Ｃ，８０Ｄ  梱包構造、α  軒棟方向、β  桁方向、γ  上下方向。
【図１】
0006731650.tif 000002
【図２】
0006731650.tif 000003
【図３】
0006731650.tif 000004
【図４】
0006731650.tif 000005
【図５】
0006731650.tif 000006
【図６】
0006731650.tif 000007
【図７】
0006731650.tif 000008
【図８】
0006731650.tif 000009
【図９】
0006731650.tif 000010
【図１０】
0006731650.tif 000011
【図１１】
0006731650.tif 000012
【図１２】
0006731650.tif 000013
【図１３】
0006731650.tif 000014
【図１４】
0006731650.tif 000015
【図１５】
0006731650.tif 000016